(57)【要約】【課題】超音波でビールを発泡させる際のエネルギー損失を低減するとともに、ビールの発泡効果を良好にする。【解決手段】  底部に貫通孔１１を形成したジョッキ本体１と、ジョッキ本体１の底部に着脱可能で、上端部に超音波振動子５を設け、内側に形成されたキャビティ１５に超音波振動子５を制御するための回路基板４を設けた台座２と、を備えた超音波ビール泡立て容器において、超音波振動子５を貫通孔１１に嵌通させ、その全部又は一部をジョッキ本体１の内側に突出させたことにより、超音波振動子５がジョッキ本体１内のビールに直接に接触した状態でジョッキ本体１内のビールに向けて超音波を発してビールを直接的に振動させ、気泡を発生させる。【選択図】図１
2020172307.tif 000002
【特許請求の範囲】
【請求項１】
底部に貫通孔を形成したジョッキ本体と、
前記ジョッキ本体の底部に着脱可能であって、上端部に超音波振動子を設け、内側に形成されたキャビティに当該超音波振動子を制御するための回路基板を設けた台座と、
を備えた超音波ビール泡立て容器であって、
前記超音波振動子が前記貫通孔を嵌通し、全部又は一部が前記ジョッキ本体の内側に突出することにより、前記ジョッキ本体と前記台座とが一体的な構成をなすこと、
を特徴とする超音波ビール泡立て容器。
【請求項２】
前記貫通孔は、前記超音波振動子との隙間をシールリング材で密封したこと、
を特徴とする請求項１に記載の超音波ビール泡立て容器。
【請求項３】
前記ジョッキ本体の下端部に設けられた雄部と、前記台座の上端部に凹設された雌部とを嵌合又は螺合させることにより、前記ジョッキ本体と前記台座とが一体的な構成をなすこと、
を特徴とする請求項１に記載の超音波ビール泡立て容器。
【請求項４】
前記台座の内側に形成されたキャビティに離隔シートを設け、当該離隔シートの下面又はそれよりも下側に回路基板を配置したこと、
を特徴とする請求項１に記載の超音波ビール泡立て容器。
【請求項５】
前記台座の内側に形成されたキャビティは、前記回路基板に電気的に接続したバッテリーを配置可能としたこと、
を特徴とする請求項４に記載の超音波ビール泡立て容器。
【請求項６】
前記台座の底部に底部カバープレートを設けたこと、
を特徴とする請求項５に記載の超音波ビール泡立て容器。
【請求項７】
前記台座の側部に前記超音波振動子の稼動や停止を操作可能なタッチスイッチを設けたこと、
を特徴とする請求項４に記載の超音波ビール泡立て容器。
【請求項８】
前記台座の他方の側部に、前記回路基板に接続された充電インターフェースを設けたこと、
を特徴とする請求項４に記載の超音波ビール泡立て容器。
【請求項９】
前記ジョッキ本体をガラス材料で形成し、前記台座をプラスチック材料で形成したこと、
を特徴とする請求項１に記載の超音波ビール泡立て容器。
【発明の詳細な説明】
【技術分野】
【０００１】
本考案は、超音波ビール泡立て容器に関する。
【背景技術】
【０００２】
従来の超音波泡立て装置は、ビール容器から分離した単独の装置を使用することにより、ジョッキ内のビールを発泡させるものである。
【０００３】
例えば、超音波を発生させるユニットにビール容器を載置し、そのユニットから発生する超音波の振動をビール容器に伝達することにより、ビール容器内のビールに泡を発生させる発明が開示されている（特許文献１及び２）。
【０００４】
また、超音波振動子の超音波の振動を、水などの振動媒体を介してビール容器に伝達することにより、ビール容器内のビールに泡を発生させる発明が開示されている（特許文献３及び４）。
【先行技術文献】
【特許文献】
【０００５】
【特許文献１】特開平８−０９８６７５号公報
【特許文献２】特開平９−２６６８４４号公報
【特許文献３】特開平４−２５３６９１号公報
【特許文献４】特開２０１５−００８６４０号公報
【発明の概要】
【発明が解決しようとする課題】
【０００６】
しかしながら、上記の超音波泡立て装置の発明では、ビール容器に注がれたビールを泡立たせるのにビール容器を装置に戻す必要があるため、装置が自由に移動させることができなかったり、液体媒介の添加プログラムが煩雑になると、ユーザの体験感が良くない。
【０００７】
そこで、関連技術によって超音波発生装置とビール容器とを組み合わせたジョッキを考案し、液体媒介の添加プログラムが煩雑になるという問題を克服した。
【０００８】
しかし、超音波発生装置とビール容器とを組み合わせたジョッキは、超音波発生装置とビール容器との接続部において、液体媒介を発振させる時のエネルギーロスが大きく、発泡効果が良くない。
【０００９】
そこで、本発明は、上述の問題に鑑み、エネルギーロスが小さく、発泡効果が良好な超音波ビール泡立て容器を提供することを目的とする。
【課題を解決するための手段】
【００１０】
本発明に係る超音波ビール泡立て容器は、上述の課題を解決するため、少なくとも、
底部に貫通孔を形成したジョッキ本体と、
前記ジョッキ本体の底部に着脱可能であって、上端部に超音波振動子を設け、内側に形成されたキャビティに当該超音波振動子を制御するための回路基板を設けた台座と、
を備えた超音波ビール泡立て容器であって、
前記超音波振動子が前記貫通孔を嵌通し、全部又は一部が前記ジョッキ本体の内側に突出することにより、前記ジョッキ本体と前記台座とが一体的な構成をなすこと、
を特徴とする。
【発明の効果】
【００１１】
本発明に係る超音波ビール泡立て容器によれば、ビールの発泡効果を良好にし、ビ−ルの食感を向上させることができる。
【図面の簡単な説明】
【００１２】
【図１】図１は、超音波ビール泡立て容器の斜視説明図である。
【図２】図２は、超音波ビール泡立て容器の断面模式図である。
【図３】図３は、台座の断面模式図である。
【発明を実施するための形態】
【００１３】
以下、図面を参照して、本発明の実施の形態について説明する。本発明の技術特徴、目的及び効果は、添付図面及び各実施形態を参照することにより、一層明確になるであろう。
【００１４】
図１は超音波ビール泡立て容器の斜視説明図、図２は超音波ビール泡立て容器の断面模式図、図３は台座の断面模式図である。図１及び図２に示す超音波ビール泡立て容器は、ジョッキ本体１、台座２及びハンドル３を有している。
【００１５】
ジョッキ本体１は、ビールを収容する容器である。ジョッキ本体１の底部には貫通孔１１が設けられている。また、ジョッキ本体１の下端部には雄部９が設けられている。また、ジョッキ本体１の側部には、ジョッキを把持するためのハンドル３が形成されている。台座２は、上端部に雌部１０が凹設されており、ジョッキ本体１の下端部の雄部９を嵌合又は螺合させることにより、ジョッキ本体１の底部に着脱可能に取り付けられている。また、台座２の上端部には、超音波の振動を発生させる超音波振動子５が設けられている。超音波振動子５は、ジョッキ本体１の貫通孔１１を嵌通し、全部又は一部がジョッキ本体１の内側に突出している。
【００１６】
超音波振動子５は、超音波トランスデューサと超音波ホーンを有する。超音波トランスデューサは、高周波電気的エネルギーを機械的エネルギーに変換する装置である。超音波ホーンは受動素子であり、それ自体に発振できず、超音波トランスデューサから入力された振動の振幅を変更してから再度伝送することにより、インピーダンス変換を完了する。
【００１７】
なお、ジョッキ本体１の貫通孔１１は、超音波振動子５の形状に合わせ、具体的には、丸穴であることが好ましく、内径は超音波振動子５の外径よりも大きい。
【００１８】
また、ジョッキ本体１の貫通孔１１には、シールリング材１３が取り付けられている。シールリング材１３は、超音波振動子５と貫通孔１１との間の隙間を密封するためのものであり、ビールが台座２に浸み込んで、台座２に内蔵した回路が短絡することを防ぎ、安全性を向上させることができる。
【００１９】
また、台座２の内側にはキャビティが形成されている。以下では、上側に形成されたものを上側キャビティ１５、下側に形成されたものを下側キャビティ１６という。
【００２０】
上側キャビティ１５には、離隔シート１２が設けられている。離隔シート１２の下面又はそれよりも下側に、超音波振動子を制御するための集積回路その他の周辺回路を配置した回路基板４が取り付けられている。回路基板４の信号出力端は、超音波振動子５に接続され、制御信号を出力する。
【００２１】
回路基板４は、超音波振動子５の超音波トランスデューサへ特定周波数の制御信号を出力する。超音波振動子５の超音波トランスデューサから超音波振動子５の超音波ホーンへ制御信号が出力された後、制御信号の周波数を機械振動に変換し、超音波エネルギーをジョッキ本体１内の底部の局所的な面積部分に集中させて、機械振動する粒子の変位や速度を拡大させ、ジョッキ本体１内の底部のビールに気泡を発生させる。なお、制御信号は正弦波信号であってもパルス信号であってもよい。また、周波数は超音波トランスデューサの作動周波数であり、例えば、２０ｋＨｚ以上とすることができる。
【００２２】
離隔シート１２は、シールリング材１３が破損した場合に、貫通孔１１から台座２に液体が浸み込むのを防ぐためのものであり、回路基板４が短絡して超音波振動子５の正常な動作に影響を及ぼさないようにするものである。
【００２３】
下側キャビティ１６には、回路基板４に電気的に接続したバッテリー７を配置することができる。バッテリー７はエネルギー吸蔵機能を有しており、ジョッキ本体１が商用電源に接続されていない場合には、バッテリー７によって回路基板４に電力を持続的に供給し、超音波振動子５が高周波の超音波を発生することができることを保証する。すなわち、ジョッキ本体１内のビールに対して無制限・リアルタイムに泡を発生させることができる。
【００２４】
また、台座２の側部には、超音波振動子５の稼動や停止を操作可能なタッチスイッチ１４が設置される。
【００２５】
また、台座２の側部には、充電インターフェース８が設置される。充電インターフェース８は、回路基板４及びバッテリー７に共通接続される。
【００２６】
また、台座２の底部には、下側キャビティ１６をカバーするための底部カバープレート６が設けられており、台座２は全体が閉じた構成となっている。
【００２７】
また、ジョッキ本体１は、通常、ガラス材料で作られたものが望ましいが、ジョッキ本体１内のビールの泡の発生状況を直感的に観察することができるものであれば、ガラス材料以外の材料であってもよい。また、台座２は、通常、プラスチック材料で作られたものが望ましいが、絶縁性、熱伝導性、耐衝撃性に優れているものであれば、プラスチック材料以外の材料であってもよい。
【００２８】
したがって、上述の構成により、ジョッキ本体１の内側に突出している超音波振動子５がジョッキ本体１内のビールに直接に接触した状態でジョッキ本体１内のビールに向けて超音波を発してビールを直接的に振動し、気泡を発生させることができるので、エネルギー損失を低減するとともに、ビールの発泡効果を良好にし、ビ−ルの食感を向上させることができる。
【００２９】
以上、本発明の実施の形態について図面を参照して詳細に説明したが、上述した実施の形態は単なる例示であって、本発明が上述した実施の形態のみに限定されるわけではなく、これ以外の実施の形態にも適用されるものである。本発明の基本的技術思想及び教示に基づいて、当業者であれば、様々の変形態様を採り得ることは自明である。さらに、特許請求の範囲の均等の範囲に属する変形や変更は、全て本発明の技術的範囲に属するものである。
【００３０】
以下、本発明の特徴を付記する。
（付記１）
付記１は、
底部に貫通孔１１を形成したジョッキ本体１と、
前記ジョッキ本体１の底部に着脱可能であって、上端部に超音波振動子５を設け、内側に形成されたキャビティ１５に当該超音波振動子５を制御するための回路基板４を設けた台座２と、
を備えた超音波ビール泡立て容器であって、
前記超音波振動子５が前記貫通孔１１を嵌通し、全部又は一部が前記ジョッキ本体１の内側に突出することにより、前記ジョッキ本体１と前記台座２とが一体的な構成をなすこと、
を特徴とする超音波ビール泡立て容器である。
【００３１】
（付記２）
付記２は、
前記貫通孔１１は、前記超音波振動子５との隙間をシールリング材１３で密封したこと、
を特徴とする付記１に記載の超音波ビール泡立て容器である。
【００３２】
（付記３）
付記３は、
前記ジョッキ本体１の下端部に設けられた雄部９と、前記台座２の上端部に凹設された雌部１０とを嵌合又は螺合させることにより、前記ジョッキ本体１と前記台座２とが一体的な構成をなすこと、
を特徴とする付記１に記載の超音波ビール泡立て容器である。
【００３３】
（付記４）
付記４は、
前記台座２の内側に形成されたキャビティ１５に離隔シート１２を設け、当該離隔シート１２の下面又はそれよりも下側に回路基板４を配置したこと、
を特徴とする付記１に記載の超音波ビール泡立て容器である。
【００３４】
（付記５）
付記５は、
前記台座２の内側に形成されたキャビティ１６は、前記回路基板４に電気的に接続したバッテリー７を配置可能としたこと、
を特徴とする付記４に記載の超音波ビール泡立て容器である。
【００３５】
（付記６）
付記６は、
前記台座２の底部に底部カバープレート６を設けたこと、
を特徴とする付記５に記載の超音波ビール泡立て容器である。
【００３６】
（付記７）
付記７は、
前記台座２の側部に前記超音波振動子５の稼動や停止を操作可能なタッチスイッチ１４を設けたこと、
を特徴とする付記４に記載の超音波ビール泡立て容器である。
【００３７】
（付記８）
付記８は、
前記台座２の他方の側部に、前記回路基板４に接続された充電インターフェース８を設けたこと、
を特徴とする付記４に記載の超音波ビール泡立て容器である。
【００３８】
（付記９）
付記９は、
前記ジョッキ本体１をガラス材料で形成し、前記台座２をプラスチック材料で形成したこと、
を特徴とする付記１に記載の超音波ビール泡立て容器である。
【符号の説明】
【００３９】
１    ジョッキ本体
２    台座
３    ハンドル
４    回路基板
５    超音波振動子
６    底部カバープレート
７    バッテリー
８    充電インターフェース
９    雄部
１０    雌部
１１    貫通孔
１２    離隔シート
１３    シーリング材
１４    タッチスイッチ
１５    上側キャビティ
１６    下側キャビティ
【図１】
2020172307.tif 000003
【図２】
2020172307.tif 000004
【図３】
2020172307.tif 000005